(57)【要約】【課題】カーテン生地を有効に生かして最小限に抑えることができ、かつ縫製が簡単なカーテンの吊り下げ手段を提供する。【解決手段】一定間隔で吊り具を収容する管状部を設けた帯状布と、カーテン本体を有し、前記帯状布を前記カーテン本体の裏面の上端部付近に縫着したことを特徴とするカーテン。【選択図】図１
2005074099.tif 000002
【特許請求の範囲】
【請求項１】
一定間隔で吊り具を収容する管状部を設けた帯状布と、カーテン本体を有し、前記帯状布を前記カーテン本体の裏面の上端部付近に縫着したことを特徴とするカーテン。
【請求項２】
吊り具を収容する管状部を一定間隔で設けたカーテン用帯状布。
【請求項３】
管状部の上下に縫着面部を設けた請求項２記載のカーテン用帯状布。
【発明の詳細な説明】
【技術分野】
【０００１】
本発明は、遮光や目隠し等のため家庭やホテル、オフィスその他あらゆる場所で用いられる窓用その他のカーテンに関する。
【背景技術】
【０００２】
一般にカーテンを窓に設置するためには、開閉を可能にするためにカーテンレールに吊り下げて設置するが、この場合カーテンレールに設けられたランナーとカーテンを接続するための吊り具をカーテンに取り付ける必要がある。今日用いられている吊り具は、金属製またはプラスチックス製の略Ｓ字型をしたフック状のものであり、カーテンを洗濯する際にはこれを取り外す必要があるため、カーテンの上部の折り返し部分にヒダ部を設けてそのヒダ部を袋状に縫製し、該袋状部に吊り具のＳ字の一端を差し込み、他のＳ字端をカーテンレールのランナーに引っかけて吊り下げている。また、特開２００２−２０４７４５号公報や、特開２００２−３４７７７号公報などには、カーテンにテープを取り付け、該テープに吊り具（カーテンフック）を取り付けるものも提案されている。
【発明の開示】
【発明が解決しようとする課題】
【０００３】
上記のように従来のカーテンの吊り下げ手段によれば、カーテン吊り具を設けるためにカーテンの上部にヒダ部を設け、かつ該ヒダ部を袋状にするために縦方向に２つの山をもつように縫製する必要がある。このため、カーテン生地としては、本来必要な窓幅の少なくとも１．５倍の幅の生地を必要とし、またヒダ部分（吊り具設置部分）毎に縦方向の縫製が必要で、しかも２つ山のヒダが必要であるため、縫製に手間がかかり、コストが多くかかる問題があった。本発明は、このような問題を解決し、カーテン生地を有効に生かして最小限に抑えることができ、かつ縫製が簡単なカーテンの吊り下げ手段を提供することを課題とする。また、従来のカーテンにテープを取り付け、テープに吊り具を取り付けるものは、例えば特開２００２−２０４７４５号公報に記載の手段では、テープとカーテンとを締結した融合部にカーテンフックを引っかけるようにするものであるため、個々のフックの装着の手間がかかる問題があり、また合成樹脂製の大型フックが使用できない問題がある。特開２００２−３４７７７号公報に開示された手段によれば、テープ上の重合片の上下の外側から特殊なカーテンフックを装着するものであるので、装着は確実になるが２方向から止める必要があるうえ、テープとカーテンの間に十分な空間がないので、カーテンへの装着部を折り曲げたり、挿入箇所をこじ開けて吊り具を装着する必要があり、それぞれのフックの装着に手間がかかり、かつ特殊な形状をしたフック以外使用できないので、市販されている金属製や合成樹脂製の一般の吊り具が使用できない問題がある。またこのような手段による場合、カーテン上部のフック装着部に皺がよるので、外観が好ましくないことがある。
【課題を解決するための手段】
【０００４】
上記課題を解決するための手段は、特許請求の範囲に記載のとおり、一定間隔で吊り具の一端を収容する管状部を設けた帯状布と、カーテン本体を有し、前記帯状布を前記カーテン本体の裏面の上端部付近に縫着したことを特徴とするカーテンであり、該カーテンに用いるための、吊り具を収容する管状部を一定間隔で設けたカーテン用帯状布、及び管状部の上下に縫着面部を設けた請求項２記載のカーテン用帯状布などを含む。
【発明の効果】
【０００５】
本発明のカーテンは、カーテン本体と、吊り具の一端を収容する管状部を設けた帯状布から形成されているため、カーテンを製作する際には、カーテン本体と帯状布を縫い合わせるだけでよい。このため、カーテンにはヒダ部を設ける必要がなく、窓に合わせて必要な幅の生地のみで済み、またカーテン本体と帯状布を縫い合わせる際にも、その幅方向に単純に縫い合わせるだけで済むので、ヒダ部分を加工する手間がなく、極めて簡単にカーテンを縫製することができ、大量の生産に適しかつコストの低下が可能となる。また、外観上の理由でヒダ部を設けたカーテンにおいても、本発明を適用できることは勿論であり、予めヒダを設けたカーテンに帯状部を縫い合わせるだけで済むので、同様に生産コストを低下させることができる。また、前記公知例に開示されたテープをカーテンに縫着したものに比べ、本発明は吊り具を収容する部分が管状をしているため、カーテンへの装着部を折り曲げたりこじ開けて吊り具を装着する必要がなく、一般に用いられている略Ｓ字型をした大型の合成樹脂製の吊り具のＳ字状の一辺の直線部を管状部に挿入するだけで済み、また単純な金属製のＳ字型の吊り具をそのまま用いることもでき、これら吊り具の直線部を管状部に挿入するのは極めて容易であり、家庭の主婦や子供でもその装着が可能であるため、カーテンの設置が苦にならない。また、吊り具の設置個所に皺が寄ることもないため、カーテン設置後の外観がよい。
【発明を実施するための最良の形態】
【０００６】
本発明の実施形態のカーテンに用いる帯状布は、吊り具の一端を収容するための管状部が一定間隔で設けてあり、幅の広いテープ状に形成してある。帯状布は、文字通りの布である必要はなく、合成樹脂のテープや、不織布、メッシュなどを含み、その材料の如何を問わない。帯状布の最も望ましい形態では、帯状布を前記カーテン本体の裏面の上端部付近に縫着するための縫い代にあたる縫着面部を管状部の上下に設けてある。このように構成した帯状部は、その縫着面部をカーテン上部に直線状に縫い合わせることで、最も短時間に大量にカーテンを縫製することができる。この発明に用いるカーテン本体は、ヒダを設けないカーテンがその典型例であるが、上記のように外観を豪華にするためなど、ヒダを設けたカーテンであっても差し支えはない。
【実施例１】
【０００７】
図１は、本発明の第１の実施例の帯状部を設けたカーテンの部分斜視図である。符号１がカーテン本体、２が帯状部であり、帯状部２には、一定間隔毎に管状部３が設けてある。また該管状部３の上下には一定の幅の縫着面部４，４が設けられ、該縫着面部において、カーテン本体１と帯状部２が直線上の縫い目５で縫い合わされている。
【０００８】
この帯状部２は、管状部３と縫着面部４とが一体に織られた織物によるテープであり、該帯状部をカーテン本体１の上端付近に直線状に縫い合わせるだけで、カーテンの縫製が終了する。このカーテンは、その幅を窓幅に合わせて縫製しておけば足り、ヒダを設ける必要がないので、従来のカーテンに比べて生地を約５０％程度節減できる。また帯状部の縫い合わせは、カーテン幅方向の単純な直線縫いだけで済むから、従来のように２つのヒダを作りヒダ毎に縦縫いをする手間がない。カーテンを窓に設置するには、従来どおりのＳ字状の吊り具の一端の直線部を管状部に差し込み、他端をカーテンレールのランナーに引っかけるだけでよいので、極めて簡単にカーテンの設置ができる。本発明の管状部は、このように内部が広い管状の空間を成しているので、大型の合成樹脂製のカーテン吊り具などを用いる際にも、ただ吊り具の直線状部分を管状部に差し込むだけでよく、カーテン側を折り曲げたり、空間をこじ開ける必要がないので、容易にこれを装着できる。
【０００９】
図２および図３は帯状部の他の実施例を示す例で、図２に示すテープ状の布２２に横方向の切れ目Ｄ、Ｄを入れてＡ、Ａ、部分を切除するか、もしくは切除しないまま、Ｂ，Ｂ、部分とＣ，Ｃ、部分を重ねて縦に縫製することにより、図３に示すように管状部３を形成する例を示す。
【００１０】
図４は、帯状部に縫着面部を設けない例を示す斜視図であり、テープ状の布を一定幅毎に折り曲げて縦方向に縫って管状部３３を形成した帯状部を、カーテン本体３１に所望の箇所で縫い合わせた例であり、このような例でも本発明の基本的な機能を奏することができる。
【産業上の利用可能性】
【００１１】
上記実施例の説明からも明らかなとおり、本発明は比較的簡単な手段によってカーテンの吊り下げ方法を一変する画期的な発明であり、カーテン生地の節約と、工程にかかる手間とコストを節減することにより、カーテン全体の価格を低減することを可能とする。このため、所得層の如何を問わず任意のデザインのカーテンを容易に購入することが可能となり、新築住宅や季節毎のカーテンの取り替えなど、カーテンを広く普及することを可能にするので、カーテンに係わる業界に資する効果は大きい。
【図面の簡単な説明】
【００１２】
【図１】実施例１のカーテンを説明する斜視図
【図２】実施例２の帯状部の製造過程を説明する図
【図３】実施例２の帯状部を説明する斜視図
【図４】実施例３のカーテンを説明する斜視図
【符号の説明】
【００１３】
１    カーテン本体
２    帯状部
３    管状部
４    縫着面部
５    縫い目
２２  帯状部
２３  管状部
３１  カーテン本体
３２  帯状部
３３  管状部
【図１】
2005074099.tif 000003
【図２】
2005074099.tif 000004
【図３】
2005074099.tif 000005
【図４】
2005074099.tif 000006